(57)【要約】  【課題】  携帯性、作業性及び安全性を向上させることができ、安価に構成することができる携帯用紫外線灯とする。  【解決手段】  外筐体１２の基部にソケット２０を固定し、このソケット２０に、メタルハライド管球２４、反射ミラー２６及び安定器２８が一体化された一体型メタルハライドランプ２２を接続して、外筐体１２内に一体型メタルハライドランプ２２を収容し、外筐体１２の前面開口に紫外線透過フィルタ３４と保護フィルタ３２を配設してなる。【選択図】  図１
0003106370.tif 000002
【実用新案登録請求の範囲】
【請求項１】
外筐体の基部にソケットを固定し、このソケットに、メタルハライド管球、反射ミラー及び安定器が一体化された一体型メタルハライドランプを接続して、外筐体内に一体型メタルハライドランプを収容し、外筐体の前面開口に紫外線透過フィルタと保護フィルタを配設してなる携帯用紫外線灯。
【請求項２】
前記ソケットは、一体型メタルハライドランプの基部と螺合するネジ式ソケットであることを特徴とする請求項１記載の携帯用紫外線灯。
【請求項３】
前記紫外線透過フィルタ及び保護フィルタは、コイルスプリングによって弾性的に支持されることを特徴とする請求項１記載の携帯用紫外線灯。
【請求項４】
一体型メタルハライドランプは、そのハウジング内に中心軸上に位置づけられた前記メタルハライド管球と該中心軸に同心状に位置づけられた前記安定器とを収容することを特徴とする請求項１記載の携帯用紫外線灯。
【考案の詳細な説明】
【技術分野】
【０００１】
本考案は、蛍光磁粉探傷試験，蛍光浸透探傷試験または蛍光保持物の確認等に用いられる携帯用紫外線灯に関する。
【背景技術】
【０００２】
上記蛍光磁粉探傷試験または蛍光浸透探傷試験は被試験体に蛍光磁粉または蛍光浸透液を適用し、紫外線を照射してその欠陥を指示、確認するものである。
【０００３】
従来、この種の携帯用紫外線灯の光源としては、特許文献１に示されるように、水銀ランプを用いるものが知られている。
【０００４】
しかしながら、近年、携帯用紫外線灯の光源として、メタルハライドランプを使用することが趨勢となってきている。その構成は大略、灯具と、安定器と、電源と安定器とを接続する電源ケーブルと、安定器と灯具とを接続するランプケーブルと、からなり、灯具は、さらに、光源としてのメタルハライドランプと、反射ミラー及び紫外線透過フィルタ及び保護フィルタを有している。
【０００５】
【特許文献１】登録実用新案第３０５２２１４号公報
【考案の開示】
【考案が解決しようとする課題】
【０００６】
上記の従来のメタルハライドランプを使用した携帯用紫外線灯では、安定器と灯具とが別体となっており、それらの間をランプケーブルが接続しているが、このランプケーブルの長さは電気的に５ｍ以内にしなければならないという制約がある。そのため、灯具と共に別体となった安定器を試験現場に運搬しなければならず、試験現場が高所や狭い場所等である場合、別体となった安定器を運ぶことは、携帯性、作業性、危険性の面からも好ましくない。
【０００７】
また、従来の灯具は多数の部品点数を要しており、高価であり、修理交換も高価になる、という問題がある。
【０００８】
本考案はかかる課題に鑑みなされたもので、携帯性、作業性及び安全性を向上させることができ、安価に構成することができる携帯用紫外線灯を提供することをその目的とする。
【課題を解決するための手段】
【０００９】
前述した目的を達成するために、請求項１記載の本考案は、外筐体の基部にソケットを固定し、このソケットに、メタルハライド管球、反射ミラー及び安定器が一体化された一体型メタルハライドランプを接続して、外筐体内に一体型メタルハライドランプを収容し、外筐体の前面開口に紫外線透過フィルタと保護フィルタを配設してなる。
【００１０】
請求項２記載の考案は、請求項１記載の前記ソケットが、一体型メタルハライドランプの基部と螺合するネジ式ソケットであることを特徴とする。
【００１１】
請求項３記載の考案は、請求項１記載の前記紫外線透過フィルタ及び保護フィルタが、コイルスプリングによって弾性的に支持されることを特徴とする。
【００１２】
請求項４記載の考案は、請求項１記載の一体型メタルハライドランプが、そのハウジング内において中心軸上に位置づけられた前記メタルハライド管球と該中心軸に同心状に位置づけられた前記安定器とを収容することを特徴とする。
【考案の効果】
【００１３】
本考案によれば、メタルハライド管球と、反射ミラーと、安定器とが一体化された一体型メタルハライドランプを使用して、外筐体内に配設しているために、従来の安定器と灯具とが別体となった携帯式紫外線灯とは異なりランプケーブルが不要となり、従って、高所や狭い場所等の現場へも簡単に持ち運ぶことができる。部品点数を少なくすることができ、安価に構成することができる。
【００１４】
また、請求項２記載の考案によれば、一体型メタルハライドランプとソケットとが螺合により接続されるために、その着脱は簡単であり、交換作業は簡単であり、また、その接続も確実であり、接続不良の可能性も小さくすることができる。
【００１５】
請求項３記載の考案によれば、作業中に保護フィルタ等が何らかの障害物に衝突したとしても、コイルスプリングが衝撃を吸収するショックアブソーバとして機能するために、破損を防ぐことができる。
【考案を実施するための最良の形態】
【００１６】
以下、図面を用いて本考案の実施の形態を説明する。尚、本考案は下記実施形態に限定されるものではない。
【００１７】
図１〜図３は本考案による携帯用紫外線灯の構成を表しており、図において、携帯用紫外線灯１０は、カバー本体１４とフード１６とからなる外筐体１２と、外筐体１２の下部に配設される把手１８と、を有している。
【００１８】
外筐体１２内には、その基部に雌ねじを有するねじ式ソケット２０が固定されており、このソケット２０に一体型メタルハライドランプ２２の基部２２ａが螺合により接続されており、一体型メタルハライドランプ２２が外筐体１２内に収容されている。
【００１９】
この一体型メタルハライドランプ２２は、メタルハライド管球２４、反射ミラー２６及び小型安定器２８が、一体化されてランプハウジング３０内に収容されたもので構成される。小型安定器２８は、ランプハウジング３０によって密閉されており、一体型メタルハライドランプ２２の中心軸に対して同心状に配置される。メタルハライド管球２４は小型安定器２８よりも前方で且つランプハウジング３０の中心軸上に配置され、反射ミラー２６はメタルハライド管球２４を包囲するように放物面をなして配置されている。
【００２０】
反射ミラー２６は、例えば、アルミニウム板、アルミニウム蒸着から構成される。
【００２１】
フード１６には、保護フィルタ３２と、紫外線透過フィルタ３４と、これらのフィルタを弾性的に支持するコイルスプリング３６と、コイルスプリング３６及び前記一体型メタルハライドランプ２２を支持するガイドプレート３８とが収容されている。保護板である保護フィルタ３２と紫外線透過フィルタ３４とは互いに重なり合ってフード１６の前端フランジ１６ａに当接しており、外筐体１２の前面開口に配設されている。これらのフィルタ３２，３４は一体品として構成されることも可能である。保護フィルタ３２は、強化ガラス等で構成され、好ましくは赤外線阻止フィルタ機能を有するものであるとよい。コイルスプリング３６は、外筐体１２内で固定されるガイドプレート３８とフィルタ３２、３４との間に介挿されて、フィルタ３２、３４を後方から弾性的に支持している。
【００２２】
把手１８内には、可視光のスポットライト４０が取り付けられており、また、把手１８の周面には、スポットライト４０のオンオフを操作するためのスイッチ４２と、一体型メタルハライドランプ２２のオンオフを操作するためのスイッチ４６とが設けられている。スイッチ４２を介して外部のＡＣ１００Ｖの電源に接続するための電源ケーブル４４が、把手１８から導出されている。また、電源ケーブル４４は、スイッチ４６を介して一体型メタルハライドランプ２２に接続される。この電源ケーブル４４の長さは、流れる電流が小電流であるため、任意の長さに設定することができる。
【００２３】
以上のように構成される携帯用紫外線灯１０は、電源ケーブル４４を電源に接続して、それ以外の部分を現場へ運び、把手１８を手に持って、スイッチ４２を操作し、必要に応じスポットライト４０の可視光を被試験体に照射し、次にスイッチ４６を操作して、一体型メタルハライドランプ２２を点灯して紫外線光を被試験体に照射し、被試験体の蛍光磁粉または蛍光浸透液を励起して蛍光を発生させ、蛍光磁粉探傷試験または蛍光浸透探傷試験等を行なうことができる。
【００２４】
以上のメタルハライド管球２４と、反射ミラー２６と、安定器２８とが一体化された一体型メタルハライドランプ２２を外筐体１２内に内蔵しているために、小型で軽量化されており、高所や狭い場所等の現場へも簡単に持ち運ぶことができ、電源ケーブル４４は長く設定することができるために、携帯性、作業性、安全性が格段に改善されている。この小型安定器２８とメタルハライド管球２４が一体化された一体型メタルハライドランプ２２を有する携帯用紫外線灯１０は、紫外線強度が高く、消費電力が小さく、寿命を長く且つコスト安価に構成することができる。
【００２５】
具体的な数値を挙げると、携帯用紫外線灯１０の紫外線強度は距離１５インチ（３８１ｍｍ）で２０００μＷ／ｃｍ２以上とすることができる。この強度は、ＡＳＴＭ規格１０００μＷ／ｃｍ２以上を十分に満足する強度である。
【００２６】
また、携帯用紫外線灯１０の消費電力は２４Ｗである。これは、安定器と灯具とが別体となった従来の市販の携帯用紫外線灯に比較して十分に小さい電力である。従来の携帯用紫外線灯の消費電力は３５Ｗから７０Ｗであり、消費電力が高く、特に高い消費電力のものはランプが高温になるため、やけどのおそれがあり、保護カバーを灯具の表面に包囲する必要があったが、この一体型メタルハライドランプ２２を用いた携帯用紫外線灯１０では、手で触れることができる程度の温度に上昇するのみであり、保護カバーを不要とすることができる。
【００２７】
また、携帯用紫外線灯１０の一体型メタルハライドランプ２２の寿命は平均で少なくとも３０００時間、紫外線強度劣化度は、少なくとも１５００時間で平均１／２であり、従来の市販の携帯用紫外線灯に比較して非常に長い時間である。また、一般的に反射ミラーは、高温環境下に曝されているために、蒸着の劣化が発生し、その場合には、交換・修理を必要とするが、本考案では、一体型メタルハライドランプ２２を交換することにより、管球２４、反射ミラー２６及び安定器２８の部品をすべて一度に新品に交換することができる。一体型メタルハライドランプ２２は、安価に構成することができるため、交換の費用は安価ですむ。また、一体型メタルハライドランプ２２は、ねじ式ソケット２０に螺合されており、その着脱を簡単に行なうことができるので、交換作業が簡単であり、また、その接続も確実である。従来の市販の携帯用紫外線灯のメタルハライド管球の接続は、ガイシの端子の差込で行なっているために、かかる端子またはそれを押さえるスプリングの故障が頻発するという問題があるが、この一体型メタルハライドランプ２２では、そのような故障の発生を皆無とすることができる。
【００２８】
また、携帯用紫外線灯１０の一体型メタルハライドランプ２２のコストは、安定器と灯具とが別体となった従来の市販の携帯用紫外線灯のメタルハライド管球、安定器、反射板のトータルコストに比較して、別体の安定器ケース等を不要とすることができ、１／２以下とすることができる。また、安定器２８がランプハウジング３０によって密閉されて粉塵、湿気から隔離されているため、安定器が別体になったものと比較して、故障しにくい構成となっている。
【００２９】
また、携帯用紫外線灯１０は、保護フィルタ３２及び紫外線透過フィルタ３４がコイルスプリング３６によって弾性的に支持されているために、携帯用紫外線灯１０を動かしているときに、何かの障害物に保護フィルタ３２等が衝突した場合であっても、コイルスプリング３６がフィルタ３２、３４の衝撃を吸収するショックアブソーバとして機能するために、フィルタ３２、３４の破損を防ぐことができるようになっている。従来の市販の携帯用紫外線灯では、フィルタが皿ばねによって緩衝される程度であり、そのショックアブソーバとしての効果は小さい。
【００３０】
以上のように、本考案による携帯用紫外線灯は、安定器と灯具とが別体となった従来の市販の携帯用紫外線灯に比較して格段に優れた効果を有することができて、その実用的な効果は多大である。
【図面の簡単な説明】
【００３１】
【図１】本考案の携帯用紫外線灯の実施形態を表す全体の縦断面図である。
【図２】図１の携帯用紫外線灯の正面図である。
【図３】図１の携帯用紫外線灯の反対側の側面図である。
【符号の説明】
【００３２】
１０  携帯用紫外線灯
１２  外筐体
１８  把手
２０  ソケット
２２  一体型メタルハライドランプ
２２ａ  基部
２４  メタルハライド管球
２６  反射ミラー
２８  安定器
３０  ランプハウジング
３２  保護フィルタ
３４  紫外線透過フィルタ
３６  コイルスプリング
【図１】
0003106370.tif 000003
【図２】
0003106370.tif 000004
【図３】
0003106370.tif 000005